(57)【要約】【課題】水と空気との接触面積を増大させて、空気清浄能力だけではなく、マイナスイオン発生効果も最大になるようにし、１つの駆動源で送風動作及び水の揚水を実施することによって部品コストを低減させることができる、湿式空気清浄機を提供する。【解決手段】湿式空気清浄機は、その内部に水を貯留するハウジング１００と、ハウジングの上部に設けられ、１つの駆動源１１０により駆動され、吸気流を生成して空気を水に移送するためのブロワを有する送風部１２０と、水を揚水して拡散させるための水噴霧ユニット１４０と、水噴霧ユニットと水との間に配置され、水噴霧ユニットから噴霧された水が繰返し拡散するようにガイドするためのガイドユニット１５０とを備える。１つの駆動源によって、送風部の送風動作及び水噴霧ユニットの水の揚水動作を実施する。【選択図】図１
2008540082.tif 000002
【特許請求の範囲】
【請求項１】
湿式空気清浄機であって、
その下部に水を貯留するハウジングと、
吸気流を生成して空気を前記水に移送するための、１つの駆動源によって駆動されるブロワを有する、前記ハウジングの上部に配置される送風部と、
前記水を揚水して拡散させるための水噴霧ユニットと、
前記水噴霧ユニットから噴霧された水が繰返し拡散するようにガイドするための、前記水噴霧ユニットと前記水との間に配置されるガイドユニットとを備え、
前記送風部の送風動作及び前記水噴霧ユニットの揚水を、前記１つの駆動源によって実施することができることを特徴とする湿式空気清浄機。
【請求項２】
前記水噴霧ユニットは、前記水を揚水するための水揚水ユニットと、前記水を噴霧させるための１つ以上の噴霧ノズルとを備えることを特徴とする請求項１に記載の湿式空気清浄機。
【請求項３】
前記水揚水ユニットは、その断面積が上部から下部へ向かうほど小さくなるじょうご状のパイプであることを特徴とする請求項１に記載の湿式空気清浄機。
【請求項４】
前記水揚水ユニットは、前記水に浸される下端部と、前記噴霧ノズルが設けられている上端部と、前記上端部と前記下端部との間に位置する中間部とを備え、前記中間部及び前記上端部は、前記水の揚水を容易にするため、上方へ向かうほど直径が大きくなるように形成されることを特徴とする請求項２に記載の湿式空気清浄機。
【請求項５】
前記ガイドユニットは、前記水噴霧ユニットと前記水との間に配置されることを特徴とする請求項３に記載の湿式空気清浄機。
【請求項６】
前記ガイドユニットは、前記水噴霧ユニットに設けられている１つ以上の第１ガイド部材と、前記第１ガイド部材と同数の、前記ハウジングに設けられている第２ガイド部材とを備えることを特徴とする請求項５に記載の湿式空気清浄機。
【請求項７】
前記第１ガイド部材は、前記水揚水ユニットの中間部の外側面から外側に、上方に向かって、リング形状を有するように所定の長さだけ延在し、前記第２ガイド部材は、前記ハウジングの内壁から内側に、下方に向かって、開口を形成するように所定の長さだけ延在し、前記水は、前記水噴霧ユニットから前記開口を介して前記第１ガイド部材へ流れることを特徴とする請求項５に記載の湿式空気清浄機。
【請求項８】
前記開口の直径は、前記第１ガイド部材の最大直径と等しい或いは小さい直径であることを特徴とする請求項７に記載の湿式空気清浄機。
【請求項９】
前記第１及び第２ガイド部材は、交互に配置されることを特徴とする請求項６に記載の湿式空気清浄機。
【発明の詳細な説明】
【技術分野】
【０００１】
本発明は、湿式空気清浄機に関し、より詳しくは、洗浄水を複数回拡散させることによって、洗浄水と外部空気との接触面積が最大になるようにして、空気の清浄能力を向上させることができる、マイナスイオン発生機能を備えた湿式空気清浄機に関する。
【背景技術】
【０００２】
一般に、空気清浄機は、微細粉塵、各種有害ガス、雑菌、カビ、ウイルスなどが含まれている室内空気を、浄化媒介体を用いて浄化する機能を果たす。このような空気清浄機は、空気清浄はもちろん、生活臭や、ダニ、花粉、ペットの毛などの小さな粒子を除去し、空気感染による疾病を予防するなどの多様な機能を果たすことから、四季を通じて用いることができる。
【０００３】
空気清浄機は、乾式と湿式に大きく２つに分けられる。乾式空気清浄機は、さらに、フィルタ式と電気集塵式に分けられる。
【０００４】
電気集塵式空気清浄機は、フィルタを使用しないため、フィルタの交換が不要という長所がある。しかし、電気集塵板にほこりが溜まると、空気清浄機の清浄能力が低下し、ほこりを除去する能力が弱まる。
【０００５】
フィルタ式空気清浄機は、空気がフィルタを通過する間に、様々な微粒子を捕集することができるので清浄能力に優れており、黄砂が発生する季節の使用に適している。しかし、フィルタを周期的に交換する必要があるので、メンテナンス費用が高いという短所がある。
【０００６】
一方、湿式空気清浄機は、吸入した空気を水と接触させることによって、吸入した空気中の浮遊粒子物質を水に吸着させる方式を用いている。湿式空気清浄機は、まだ一般的に広く使用されていないが、フィルタの交換が不要であり、騒音がほとんど発生しない、加湿機能を有するなどの多くの長所がある。そのため、湿式空気清浄機は、子供用に使用することが好ましい。しかし、湿式空気清浄機は、水の入れ替えや補充が必要であるため、乾式空気清浄機を使用する場合と比べると、手間がかかるという短所がある。
【０００７】
このような湿式空気清浄機の一例が、特許文献１に開示されている。
【０００８】
このような湿式空気清浄機は、室内空気を空気清浄機の内部に導入する、及び清浄された空気を空気清浄機の外部に排出するための空気循環通路を備えている。噴霧された水が貯留される貯留部は、前記空気循環通路の一部を形成する。また、前記湿式空気清浄機は、空気循環通路を通じて空気を循環させる送風ユニットと、空気清浄機の噴霧空間内で水を噴霧する噴霧ユニットとをさらに備えている。
【０００９】
前記送風ユニットは、前記噴霧空間内に空気を吸入するためのファンと、そのファンを駆動するためのモータとを含んでいる。前記噴霧ユニットは、空気清浄機から水を揚水するためのポンプと、その水を噴霧空間内に噴霧するためのノズルとを有している。
【００１０】
さらに、空気循環通路内に吸入された空気は、一般に、情報から下方に流れ、水は下側から上側に噴霧される。そして、空気清浄機内に導入された空気に、ノズルから噴霧した液体微粒子を接触させることによって、空気中の異物を水に吸着させる。
【００１１】
【特許文献１】特開２０００-３３４２４０号公報
【００１２】
しかし、上記のような従来の湿式空気清浄機では、室内空気を循環させるための送風ユニットと水を噴霧するための噴霧ユニットとが個別に設けられるため、空気清浄機の部品数を一定の数量より少なくすることができない。
【００１３】
さらに、従来の湿式空気清浄機では、ほこり粒子を捕集した水滴が洗浄された空気の流れと共に湿式空気清浄機の外部に排出されるため、清浄能力が低下し、湿気が設定値以上に増えるという問題があった。また、洗浄水と空気との接触面積が不十分であるため、清浄能力が低下するという問題があった。
【発明の開示】
【発明が解決しようとする課題】
【００１４】
本発明は、上記問題に鑑みてなされたものであって、その目的は、水粒子と空気との接触面積を増大させて、空気清浄能力だけでなく、マイナスイオン発生効果も最大になるようにし、１つの駆動源で送風動作及び水の揚水を実施することにより、部品コストを低減させることができる湿式空気清浄機を提供することにある。
【００１５】
本発明の他の目的は、ほこり粒子を捕集した水滴が、洗浄された空気の流れと共に湿式空気清浄機の外部に排出されて清浄能力が低下し、湿気が設定値以上に増えるという問題を解決するためのマイナスイオン発生装置を備えた湿式空気清浄機を提供することにある。
【００１６】
また本発明のその他の目的は、ほこりなどを捕集するために水を製品の壁面に噴射することで、動作ノイズが増大する問題を解決するためのマイナスイオン発生装置を備えた湿式空気清浄機を提供することにある。
【００１７】
本発明のさらに別の目的は、洗浄水を複数回拡散させることによって、洗浄水と外部空気との接触面接が最大になるようにして、空気清浄能力を最大化できるマイナスイオン発生装置を備えた湿式空気清浄機を提供することにある。
【課題を解決するための手段】
【００１８】
前記課題を解決すべく、本発明に係る湿式空気清浄機は、その内部に水を貯留するハウジングと、前記ハウジングの上部に設けられ、１つの駆動源により駆動され、吸気流を生成して空気を水に移送するためのブロワを有する送風部と、水を揚水して拡散させるための水噴霧ユニットと、水噴霧ユニットと水との間に配置され、水噴霧ユニットから噴霧された水が繰返し拡散するようにガイドするためのガイドユニットとを備え、１つの駆動源によって、送風部の送風動作及び水噴霧ユニットの水の揚水動作を実施することを特徴とする。
【発明の効果】
【００１９】
本発明によって、ブロワを回転させるための駆動ユニットの動力のみで、ブロワを回転させ、同時に、ガイドユニットに沿って洗浄水を揚水することが可能である。このため、ポンプを追加する必要がなく、コストを抑えることができる。
【発明を実施するための最良の形態】
【００２０】
以下、添付の図面を参照しつつ、本発明に係るマイナスイオンの発生機能を有する湿式空気清浄機の一実施例について詳細に説明する。
【００２１】
図１は、本発明に係るマイナスイオンの発生機能を有する湿式空気清浄機を示す断面図、図２は、本発明に係るマイナスイオンの発生機能を有する湿式空気清浄機の主要部を示す斜視図である。
【００２２】
湿式空気清浄機は、ハウジング１００、駆動源としてハウジング１００に設けられる駆動ユニット１１０、吸気流を生成して室内空気をハウジング内に吸入する、ハウジング１００に設けられる送風部（blower unit）１２０とを備える。
【００２３】
ハウジング１００は、その下部に、例えば、洗浄水１０２を貯留し、室内空気をハウジング１００内に導入するための空気吸入口（図示せず）と、きれいな空気を室内に排出するための空気排出口（図示せず）とを備える。駆動ユニット１１０は、ハウジング１００内に垂直に配置された回転軸１１２を有し、回転軸は送風部１２０と結合され、駆動ユニット１１０の駆動力を送風部１２０に伝達する。送風部１２０は、吸気流を生成するためのブロワ１２１と、ブロワ１２１を収容するためのケース１２８とを有している。ブロワ１２１は、ブロワ本体１２２を有し、その外周には室内空気を移動させるための複数のブレード１２４が放射方向に備えられている。ブロワ本体１２２にはセンタホール１２６が設けられている。ブロワ１２１はセンタホール１２６を介して回転軸１１２に嵌め込まれることにより回転軸１１２と結合され、回転軸１１２と共に回転する。
【００２４】
湿式空気清浄機は、例えば、連結部材１３０によりブロワ本体１２２と結合されて洗浄水１０２を噴霧する水噴霧ユニット１４０と、水噴霧ユニット１４０から噴霧された洗浄水１０２が繰返し拡散するようにガイドするためのガイドユニット１５０とをさらに備える。
【００２５】
水噴霧ユニット１４０は、洗浄水１０２を揚水するための水揚水ユニット１４１、水揚水ユニット１４１により揚水される洗浄水１０２を噴霧するための１つ以上、例えば２つの噴霧ノズル１４９を有している。水揚水ユニット１４１は、その断面が上部から下部へ向かうほど狭くなるじょうご状のパイプで形成される。水揚水ユニット１４１は、洗浄水１０２に浸される下端部１４３、噴霧ノズル１４９が設けられる上端部１４５及び、下端部１４３と上端部１４５との間に位置する中間部１４７を有している。
【００２６】
水揚水ユニット１４１の下端部１４３は、ハウジング１００内の洗浄水１０２が水揚水ユニット１４１に導入される際に、洗浄水の入口としての役割を果たす。水の揚水を容易にするため、水揚水ユニット１４１の中間部１４７及び上端部１４５は、ケース１２８の底面に向かうほどそれらの直径が大きくなるように形成され、中間部１４７の平均直径は上端部１４５の平均直径よりも大きい。水噴霧ノズル１４９は、ハウジング１００の内部と連通されるように水揚水ユニット１４１の上端部１４５の周囲に設けられる。
【００２７】
水噴霧ユニット１４０と洗浄水１０２との間に配置されるガイドユニット１５０は、１つ以上の第１ガイド部材、例えば、水噴霧ユニット１４０の水揚水ユニット１４１に設けられる第１の上部及び下部ガイド部材１５２、１５４を有し、１つ以上の第２ガイド部材、例えば、ハウジング１００に設けられる第２の上部及び下部ガイド部材１５６、１５８を有する。第１ガイド部材１５２、１５４は、水揚水ユニット１４１の中間部１４７の外側面から外側に、上方に向かって、リング形状を有するように所定の長さだけ延在しているものであり、第２ガイド部材１５６、１５８は、ハウジング１００の内壁から内側に、下方に向かって、所定の長さだけ延在しているものであり、洗浄水１０２を通過させる開口１５９を形成する。開口１５９の直径は、第１ガイド部材１５２、１５４の最大直径よりも小さい。
【００２８】
また、第１ガイド部材１５２、１５４及び第２ガイド部材１５６、１５８は、互いに離隔して、交互に配置される。より詳細には、第２上部ガイド部材１５６、第１上部ガイド部材１５２、第２下部ガイド部材１５８、第１下部ガイド部材１５４の順に、上から下へ配置される。
【００２９】
上記したように、開口１５９の直径は第１ガイド部材１５２、１５４の最大直径よりも小さいので、ハウジング１００の内壁に沿って流れる水１０２は、第２ガイド部材１５６、１５８から第１ガイド部材１５２、１５４に案内されるとき、第１ガイド部材１５２、１５４と第２ガイド部材１５６、１５８との間の空間に流出することがない。このため、洗浄水１０２の拡散は効率よく行われる。
【００３０】
上記したような構成において、送風部１２０及び水噴霧ユニット１４０は、連結部材１３０により互いに一体に結合されるので、１つの駆動ユニットにより同時に回転可能である。
【００３１】
上記の説明において、水噴霧ユニット１４０が連結部材１３０によりブロワ本体１２２と結合されると説明したが、水噴霧ユニット１４０及び送風部１２０は一体に形成されることもできる。
【００３２】
以下、上記したような構成を有する本発明に係る湿式空気清浄機の動作を説明する。
【００３３】
まず、駆動ユニット１１０によって発生した回転動力は、回転軸１１２を介して送風部１２０のブロワ本体１２２に伝達され、ブレード１２４を回転させて、周囲の空気を吸入して、送風部１２０の下方、すなわち水噴霧ユニット１４０に移送する。
【００３４】
同時に、連結部材１３０を介して送風部１２０に固定されている水噴霧ユニット１４０も回転するので、遠心力によって、水揚水ユニット１４１の下端部１４３がハウジング１００内の洗浄水１０２を導入するようにし、中間部１４７及び上端部１４５を介して洗浄水１０２を揚水する。
【００３５】
次に、洗浄水１０２は、水噴霧ノズル１４９まで移動するように上昇し、そこから外側に拡散される。拡散された水１０２は、ブレード１２４により下方に送られた空気と接触するとき、空気中の細菌、ほこりなどを捕集し、さらに空気中に含まれているガス状の汚染物質も溶解する。その結果、空気がきれいになる。
【００３６】
洗浄水１０２が微細に噴霧される場合は、レナード効果（Ｒｅｎａｒｄ  ｅｆｆｅｃｔ）によって、マイナスイオン性の空気が大量に発生する。このようにして発生したマイナスイオン性空気の量は、高圧放電により発生するマイナスイオンの量よりも多い。また、このようにして発生したマイナスイオン性空気は、自然状態に近い。
【００３７】
第２上部ガイド部材１５６及び第１上部ガイド部材１５２と同様に、水噴霧ユニット１４０から排出される洗浄水１０２は、第２上部ガイド部材１５６により第１上部ガイド部材１５２の中央部にガイドされる。その後、洗浄水１０２は第１上部ガイド部材１５２の中央部に一時的に溜まり、第１上部ガイド部材１５２の回転によりハウジング１００の内壁に向かって再び拡散される。
【００３８】
水を噴霧する動作は、第２下部ガイド部材１５８及び第１下部ガイド部材１５４を用いることによって繰り返される。
【００３９】
従って、送風部１２０から供給される外部空気は、複数回拡散される洗浄水と接触しながら空気中の汚染物質を洗浄水１０２に吸着し、きれいな空気のみを室内空間に排出する。
【００４０】
上記のような本発明の実施例によれば、空気清浄機の下方へ送られた空気は、複数回洗浄水と接触するため、空気中の汚染物質及び水分を水によって捕集することができ、きれいな空気のみ外部に排出される。洗浄水が複数回拡散されることにより、空気清浄能力は向上し、マイナスイオンの発生も増加する。
【００４１】
上記のようなマイナスイオンを発生できる湿式空気清浄機によれば、汚染物質を含む空気粒子は下方に送られるの対し、拡散される水は第1ガイド部材により上方へ移動される。その結果、洗浄水と空気との接触面積が増大する。さらに、空気清浄機の回転動作によって洗浄水と空気とをかき回すこと、及び、遠心力による水の拡散がガイド部材を介して複数回行われることによって、水粒子と空気との接触面積が増大する。従って、空気清浄能力だけではなく、マイナスイオンの発生効果も最大になる。
【００４２】
また、ポンプ機能とブロワ機能とを１つの駆動ユニットによって動作させることで、部品コストを低減させることができ、かつ生産工程を短縮することができる。
【００４３】
上記のような効果によって、空気清浄機の空気清浄能力が向上し、製品のサイズは最小化される。従って、空気清浄機が設置される場所の適合性が向上し、利用者の便宜が図られるという効果を奏する。
【００４４】
以上、本発明の好ましい実施例を説明したが、本発明はかかる実施例に限定されるものではなく、特許請求の範囲の記載から把握される技術的範囲において種々の実施形態に変更可能である。
【図面の簡単な説明】
【００４５】
【図１】本発明に係るマイナスイオン発生装置を備えた湿式空気清浄機を示す断面図である。
【図２】本発明に係るマイナスイオン発生装置を備えた湿式空気清浄機の要部を示す斜視図である。
【図１】
2008540082.tif 000003
【図２】
2008540082.tif 000004
【国際調査報告】
2008540082.tif 000005
2008540082.tif 000006